(57)【要約】【課題】運転手が適切な乗換地を把握できるようにする。【解決手段】本方法は、地図データと特定種類の車両の進入が規制されている規制領域の情報と規制領域を走行可能な種類の共用車両への乗換拠点の情報とを格納する地図DBに格納されている規制領域の情報から、出発地から目的地までの経路が規制領域を走行する経路であるか判定する工程と、規制領域を走行する経路であると判定された場合、地図DBにおいて、出発地から規制領域への進入地点までの経路区間上又は当該経路区間から所定範囲内に存在する乗換拠点を探索し、検出された乗換拠点における共用車両の空き状況を収集する探索工程と、共用車両の空き状況に従って、上記探索工程で検出された乗換拠点の中から、共用車両へ乗換可能な乗換拠点を乗換地として決定し、乗換地情報を出力する工程とを含む。【選択図】図３
2011170686.tif 000002
【特許請求の範囲】
【請求項１】
地図データと特定の種類の車両の進入が規制されている規制領域の情報と前記規制領域を走行可能な種類の共用車両への乗換拠点の情報とを格納する地図データベースに格納されている前記規制領域の情報から、出発地から目的地までの経路が前記規制領域を走行する経路であるか判定するステップと、
前記出発地から目的地までの経路が前記規制領域を走行する経路であると判定された場合、前記地図データベースにおいて、前記出発地から前記規制領域への進入地点までの経路区間上又は当該経路区間から所定の範囲内に存在する前記乗換拠点を探索し、検出された前記乗換拠点における前記共用車両の空き状況を収集する乗換拠点探索ステップと、
収集された前記共用車両の空き状況に従って、前記乗換拠点探索ステップにより検出された前記乗換拠点の中から、前記共用車両への乗り換えが可能な前記乗換拠点を乗換地として決定し、当該乗換地の情報を出力する乗換地決定ステップと、
を含み、コンピュータにより実行される乗換地決定方法。
【請求項２】
前記乗換地決定ステップが、
前記共用車両への乗り換えが可能な前記乗換拠点が複数存在する場合、前記規制領域から最も遠い前記乗換拠点を前記乗換地として決定するステップ
を含む、請求項１記載の乗換地決定方法。
【請求項３】
前記乗換地決定ステップが、
前記乗換拠点探索ステップにより検出された前記乗換拠点毎且つ当該乗換拠点において空き状態の前記共用車両毎に、経路走行車両が当該乗換拠点に到着すると予想される到着予想時刻の時点における当該共用車両の蓄積エネルギー量を予測する第１予測ステップと、
予測された前記到着予想時刻の時点における蓄積エネルギー量に従って、前記共用車両が少なくとも前記目的地まで走行可能であるか否か推定するステップと、
を含み、
前記乗換拠点探索ステップにより検出された前記乗換拠点の中から、少なくとも前記目的地まで走行可能と推定された前記共用車両への乗り換えが可能な前記乗換拠点を乗換地として決定し、当該乗換地の情報を出力する
ことを特徴とする請求項１又は２記載の乗換地決定方法。
【請求項４】
経路走行車両が、前記特定の種類の車両であるか判定するステップ
をさらに含み、
前記出発地から前記目的地までの経路が前記規制領域を走行する経路であり且つ前記経路走行車両が前記特定の種類の車両であると判定された場合に、前記乗換拠点探索ステップ以降の処理を実施する
請求項１乃至６のいずれか１つ記載の乗換地決定方法。
【請求項５】
地図データと特定の種類の車両の進入が規制されている規制領域の情報と前記規制領域を走行可能な種類の共用車両への乗換拠点の情報とを格納する地図データベースと、
前記特定の種類の車両から受信した出発地から、当該特定の種類の車両から受信した目的地までの経路が、前記地図データベースから特定される前記規制領域を走行する経路であるか判定する経路判定部と、
前記出発地から前記目的地までの前記経路が前記規制領域を走行する経路であると判定された場合、前記地図データベースにおいて、前記出発地から前記規制領域への進入地点までの経路区間上又は当該経路区間から所定の範囲内に存在する前記乗換拠点を探索し、検出された前記乗換拠点における前記共用車両の空き状況を収集する乗換拠点探索部と、
収集された前記共用車両の空き状況に従って、前記乗換拠点探索部により検出された前記乗換拠点の中から、前記共用車両への乗り換えが可能な前記乗換拠点を乗換地として決定し、当該乗換地の情報を前記出発地及び前記目的地の送信元の車両に出力する乗換地決定部と、
を有する乗換地決定装置。
【請求項６】
地図データと特定の種類の車両の進入が規制されている規制領域の情報と前記規制領域を走行可能な種類の共用車両への乗換拠点の情報とを格納する地図データベースと、
ユーザから目的地の入力を受け付けた場合、出発地から前記目的地までの経路を探索し、探索された前記経路が、前記地図データベースから特定される前記規制領域を走行する経路であるか判定する経路判定部と、
探索された前記経路が前記規制領域を走行する経路であると判定された場合、前記地図データベースにおいて、前記出発地から前記規制領域への進入地点までの経路区間上又は当該経路区間から所定の範囲内に存在する前記乗換拠点を探索し、前記乗換拠点における前記共用車両の情報を管理している管理装置から、検出された前記乗換拠点における前記共用車両の空き状況を取得する乗換拠点探索部と、
前記管理装置から取得した前記共用車両の空き状況に従って、前記乗換拠点探索部により検出された前記乗換拠点の中から、前記共用車両への乗り換えが可能な前記乗換拠点を乗換地として決定し、当該乗換地の情報を前記ユーザに提示する乗換地決定部と、
を有するカーナビゲーション装置。
【発明の詳細な説明】
【技術分野】
【０００１】
本技術は、複数人で共用される共用車両へ乗り換えるための乗換地を探索する技術に関する。
【背景技術】
【０００２】
近年、環境問題に対する取り組みが重視されており、今後、二酸化炭素（ＣＯ2）排出量の削減への取り組みとして、二酸化炭素を排出するガソリン車やディーゼル車などの走行を禁止する領域（以下、規制領域と呼ぶ）が設定されることが予想される。このような規制領域が設定されると、例えば規制領域内に目的地がある場合には、二酸化炭素を排出する車両（例えばガソリン車）の運転手は、規制領域の手前で、規制領域を走行可能な車両（例えば電気自動車など）へ乗り換えることになる。また、現在地と目的地との間に規制領域が設定されており、迂回が難しいような場合においても、同様に、電気自動車などへ乗り換えることになる。このため、規制領域が設定された場合、規制領域の周辺には、電気自動車などの共用車両への乗り換えを行うための乗換拠点（以下、乗換ステーションとも呼ぶ）が設けられることが予想される。
【０００３】
例えば図１に、規制領域が設定された場面の一例を示す。図１では、例えば、ガソリン車（Ｙ車）のカーナビゲーション装置によって目的地までの経路探索を行った結果、ガソリン車の走行が禁止されている規制領域を走行する経路が探索されたものとする。なお、図１の細線は、道路を示しており、太線は、Ｙ車の出発地から目的地までの経路を示している。この場合、Ｙ車の運転手が目的地まで移動するためには、規制領域の手前の乗換ステーション（図１では、厚木ステーション（ＳＴ）、目黒ステーション（ＳＴ）、三軒茶屋ステーション（ＳＴ）、渋谷ステーション（ＳＴ））で、規制領域を走行可能な電気自動車へ乗り換える必要がある。なお、多くの運転手は、規制領域に近い乗換ステーションで電気自動車などの共用車両へ乗り換えようとするため、規制領域に近い乗換ステーションでは空き車両の台数不足が生ずることが予想される。そのため、例えばガソリン車の運転手が規制領域に近い乗換ステーションで電気自動車に乗り換えようと思い、その乗換ステーションに行ったとしても、電気自動車の空きがない場合もある。この場合、ガソリン車の運転手は、Ｕターンするなどして規制領域から離れた他の乗換ステーションへ行かなければならない。また、電気自動車の充電にはガソリン車のガソリン充填と比較して、非常に長い時間が必要となる。具体的には、リチウム電池を搭載した電気自動車の場合、満充電の状態にするのに６時間から８時間程度必要となる（なお、３０分程度で実施可能な急速充電方式もあるが、バッテリーに大きな負荷がかかり、バッテリーの短寿命化を招く）。このような長い充電時間が必要となるため、乗換ステーションに電気自動車の空きがあったとしても電気量が不足しているような場合が発生する。電気量が不足している共用車両を利用した場合、その乗換ステーション又は目的地へ向かう途中にある充電施設にて、目的地まで走行できるだけの電気量を充電しなければならず、運転手は十分な電気量が充電されるのを待たなくてはならない。
【先行技術文献】
【特許文献】
【０００４】
【特許文献１】特開２００６−１１２９３２号公報
【特許文献２】特開２００４−９４９１３号公報
【発明の概要】
【発明が解決しようとする課題】
【０００５】
従って、本技術の目的は、規制領域を走行可能な車両へ乗り換える場合において、運転手が、適切な乗換地を把握できるようにするための技術を提供することである。
【課題を解決するための手段】
【０００６】
本乗換地決定方法は、地図データと特定の種類の車両の進入が規制されている規制領域の情報と規制領域を走行可能な種類の共用車両への乗換拠点の情報とを格納する地図データベースに格納されている規制領域の情報から、出発地から目的地までの経路が規制領域を走行する経路であるか判定するステップと、出発地から目的地までの経路が規制領域を走行する経路であると判定された場合、地図データベースにおいて、出発地から規制領域への進入地点までの経路区間上又は当該経路区間から所定の範囲内に存在する乗換拠点を探索し、検出された乗換拠点における共用車両の空き状況を収集する乗換拠点探索ステップと、収集された共用車両の空き状況に従って、乗換拠点探索ステップにより検出された乗換拠点の中から、共用車両への乗り換えが可能な乗換拠点を乗換地として決定し、当該乗換地の情報を出力する乗換地決定ステップとを含む。
【発明の効果】
【０００７】
規制領域を走行可能な車両へ乗り換える場合において、運転手が、適切な乗換地を把握できるようになる。
【図面の簡単な説明】
【０００８】
【図１】図１は、規制領域が設定された場面の一例を示す図である。
【図２】図２は、本技術の実施の形態に係るシステムの構成図である。
【図３】図３は、本技術の実施の形態における乗換地決定装置の機能ブロック図である。
【図４】図４は、車両情報格納部に格納される車両情報の一例を示す図である。
【図５】図５は、共用車両ＤＢに格納される共用車両情報の一例を示す図である。
【図６】図６は、ワークメモリに格納されるワークテーブルの一例を示す図である。
【図７】図７は、乗換ステーションマスタＤＢに格納されるデータの一例を示す図である。
【図８】図８は、充電施設マスタＤＢに格納されるデータの一例を示す図である。
【図９】図９は、車種ＤＢに格納されるデータの一例を示す図である。
【図１０】図１０は、充電カーブの一例を示す図である。
【図１１】図１１は、燃費ＤＢに格納されるデータの一例を示す図である。
【図１２】図１２は、電気自動車の探索を行うか否かの問い合わせ画面の画面例を示す図である。
【図１３】図１３は、本技術の実施の形態におけるメインの処理の処理フロー（第１の部分）を示す図である。
【図１４】図１４は、ワークメモリに格納されるワークテーブルの一例を示す図である。
【図１５】図１５は、空き状態の乗換候補車両がないことを運転手に知らせるための画面の画面例を示す図である。
【図１６】図１６は、本技術の実施の形態におけるメインの処理の処理フロー（第２の部分）を示す図である。
【図１７】図１７は、充電量予測処理の処理フローを示す図である。
【図１８】図１８は、充電カーブを用いて充電量を予測する場合の処理を説明するための図である。
【図１９】図１９は、消費電力量予測処理の処理フローを示す図である。
【図２０】図２０は、運転手に乗換地を知らせる画面の画面例を示す図である。
【図２１】図２１は、乗換地決定装置から乗換ステーションに送信される予約通知の一例を示す図である。
【図２２】図２２は、本技術の実施の形態におけるメインの処理の処理フロー（第３の部分）を示す図である。
【図２３】図２３は、充電又は再乗換があってもよいかどうかの問い合わせ画面の画面例を示す図である。
【図２４】図２４は、ワークテーブル内のレコードを充電量の予測値でソートした場合のソート結果の一例を示す図である。
【図２５】図２５は、乗換地及び充電場所を運転手に知らせるための画面の画面例を示す図である。
【図２６】図２６は、適当な乗換候補車両がないことを運転手に知らせるための画面の画面例を示す図である。
【図２７】図２７は、車両のカーナビゲーション装置において処理を実施する場合のシステムの構成図である。
【図２８】図２８は、コンピュータの機能ブロック図である。
【図２９】図２９は、第１の態様に係る乗換地決定方法の処理フローを示す図である。
【図３０】図３０は、第２の態様に係る乗換地決定装置の機能ブロック図である。
【発明を実施するための形態】
【０００９】
図２に、本技術の一実施の形態に係るシステム構成図を示す。例えばインターネットであるネットワーク１には、カーナビゲーション装置及び無線通信機能を搭載した複数の車両３（図２では３ａと３ｂ）と、複数の乗換ステーション５（図２では５ａ乃至５ｃ）の各々における管理装置５１（図２では５１ａ乃至５１ｃ）と、本実施の形態における主要な処理を実施する乗換地決定装置７とが無線又は有線にて接続されている。また、乗換ステーション５では、複数人で共用される共用車両の充電や整備などが行われるようになっている。
【００１０】
また、車両３は、後で説明する車両情報を格納する車両情報格納部３１と、カーナビゲーション装置３２と、無線通信を行う通信部３３とを有する。なお、図２の例では図示していないが、車両３ｂも車両３ａと同じ構成を有する。また、乗換ステーション５ａの管理装置５１ａは、乗換ステーション５ａにおいて充電中又は充電済みの共用車両の情報を格納する共用車両データベース（ＤＢ）５３ａを管理している。同様に、乗換ステーション５ｂの管理装置５１ｂは、乗換ステーション５ｂにおいて充電中又は充電済みの共用車両の情報を格納する共用車両ＤＢ５３ｂを管理しており、乗換ステーション５ｃの管理装置５１ｃは、乗換ステーション５ｃにおいて充電中又は充電済みの共用車両の情報を格納する共用車両ＤＢ５３ｃを管理している。
【００１１】
図３に、図２に示した乗換地決定装置７の機能ブロック図を示す。乗換地決定装置７は、入力部７０１と、入力データ格納部７０３と、経路探索部７０５と、地図ＤＢ７０７と、規制状態判定部７０９と、共用車両情報取得部７１１と、乗換候補車両抽出部７１３と、車種ＤＢ７１５と、ワークメモリ７１７と、充電量予測部７１９と、消費電力量予測部７２１と、乗換ステーションマスタＤＢ７２３と、充電施設マスタＤＢ７２５と、充電カーブＤＢ７２７と、燃費ＤＢ７２９と、乗換地決定部７３１と、出力部７３３とを有する。
【００１２】
なお、入力部７０１は、車両３から処理に必要なデータ（車両情報等）を受信し、入力データ格納部７０３に格納する。経路探索部７０５は、入力データ格納部７０３と地図ＤＢ７０７とに格納されているデータを用いて処理を実施し、処理結果を入力データ格納部７０３に格納する。なお、車両３に搭載されているカーナビゲーション装置３２にて検索された経路情報を乗換地決定装置７が受信し、その経路情報を入力データ格納部７０３に格納する場合もある。規制状態判定部７０９は、入力データ格納部７０３と地図ＤＢ７０７と車種ＤＢ７１５とに格納されているデータを用いて、データ送信元の車両３の運転手が、共用車両へ乗り換える必要があるかどうかを判定する。乗り換える必要があると判定した場合には、その旨を共用車両情報取得部７１１に通知し、乗り換える必要がないと判定した場合には、その旨の通知をデータ送信元の車両３へ送信するよう出力部７３３に指示する。また、共用車両情報取得部７１１は、規制状態判定部７０９からの指示に応じて、入力データ格納部７０３と地図ＤＢ７０７と乗換ステーションマスタＤＢ７２３とに格納されているデータを用いて、乗換地の候補となる乗換ステーション５の共用車両ＤＢ５３から共用車両情報を取得し、ワークメモリ７１７に格納する。乗換候補車両抽出部７１３は、車種ＤＢ７１５とワークメモリ７１７とに格納されているデータを用いて、乗換候補車両を探索して乗換候補車両の情報を含むワークテーブル（詳細は後述）を生成し、ワークメモリ７１７に格納する。充電量予測部７１９は、入力データ格納部７０３と地図ＤＢ７０７とワークメモリ７１７と乗換ステーションマスタＤＢ７２３と充電カーブＤＢ７２７と燃費ＤＢ７２９とに格納されているデータを用いて、後で説明する充電量予測処理を実施し、処理結果をワークメモリ７１７に格納する。消費電力量予測部７２１は、入力データ格納部７０３と地図ＤＢ７０７とワークメモリ７１７と燃費ＤＢ７２９とに格納されているデータとを用いて、後で説明する消費電力量予測処理を実施し、処理結果をワークメモリ７１７に格納する。乗換地決定部７３１は、入力データ格納部７０３と地図ＤＢ７０７とワークメモリ７１７と乗換ステーションマスタＤＢ７２３と充電施設マスタＤＢ７２５とを用いて処理を実施し、処理結果をワークメモリ７１７に格納する。出力部７３３は、規制状態判定部７０９、乗換候補車両抽出部７１３又は乗換地決定部７３１からの指示に応じて、これらの処理部の処理結果に応じたデータを車両３に送信する。
【００１３】
図４に、車両３の車両情報格納部３１に格納される車両情報の一例を示す。図４の例では、車両情報には、例えば車両３のナンバープレートの情報である車両識別情報と、車種と、出発地と、運転手によって設定された目的地と、出発地から目的地までの経路情報とが含まれる。なお、図４の例では、経路情報として主要道路のみを示しているが、実際には、主要道路以外の道路や、通過する交差点の情報なども含まれる。
【００１４】
また、乗換ステーション５の共用車両ＤＢ５３には、例えば図５に示すような共用車両情報が格納される。なお、共用車両ＤＢ５３には、共用車両の基本的な情報（例えば車体サイズ、燃料種別、燃費、フル充電時の電力量、フル充電での走行可能距離、性能など）も格納される。図５の例では、共用車両情報には、車両識別番号と、車種と、予約状況と、充電量（単位：ｋＷｈ）と、充電率（単位：％）とが含まれる。充電量は、その共用車両のバッテリー（例えばリチウム電池など）に充電されている電力量を示す。また、充電率は、充電量の、フル充電時のバッテリーの電力量に対する割合を示す。例えば充電量が１５ｋＷｈ、フル充電時のバッテリーの電力量が３０ｋＷｈであった場合、充電率は５０％となる。なお、図５の例では、共用車両１台につき１レコードとなっている。例えばある共用車両の貸し出しを行った場合には、その共用車両のレコードが共用車両ＤＢ５３から削除される。また、乗換ステーション５に共用車両が返却された場合には、その共用車両のレコードが共用車両ＤＢ５３へ追加される。必ず、貸し出しをした乗換ステーション５に車両が返却される場合であれば、レコードの追加／削除の処理は不要であるが、現実的には、他の乗換ステーションに乗り捨てられる可能性が高いため、このような処理を行い、共用車両ＤＢ５３では、現在、乗換ステーション５に存在している共用車両の情報を格納するようにしている。さらに、ある共用車両について予約がなされた場合には、その共用車両の予約状況が「空」から「予約」へ更新される。また、充電量及び充電率の値は、一定間隔毎に又は所定のタイミングにて更新される。なお、レコードの追加／削除は、例えば乗換ステーション５の担当者が管理装置５１を操作することにより行われ、予約状況の更新は、図示しない貸し出し／返却の受付装置からの情報を受信して自動的に更新される。充電量及び充電率の更新は、上記のように手動で行われる場合もあれば、例えば充電に使用している充電設備からの情報を用いて自動的に行われる場合もある。
【００１５】
また、乗換地決定装置７の入力データ格納部７０３には、主に車両３から送られてきたデータが格納される。具体的には、車両情報や、乗り換えた共用車両で乗換ステーション５まで戻ってくるかどうかの選択入力データ、目的地へ向かう途中の充電などを許容するかどうかの選択入力データなどが格納される。
【００１６】
さらに、乗換地決定装置７のワークメモリ７１７には、乗換ステーション５の共用車両ＤＢ５３から取得した共用車両情報やワークテーブルが格納される。ワークテーブルの一例を図６に示す。図６の例では、ワークテーブルには、乗換ステーション名と、その乗換ステーション５にある共用車両の車両識別番号と、充電率の予測値（単位：％）と、充電量の予測値（単位：ｋＷｈ）と、移動距離（単位：ｋｍ）と、消費電力量（単位：ｋＷｈ）と、乗換候補車両の優先順位とが含まれる。図６の例では、乗換地の候補となる乗換ステーション５毎且つ当該乗換ステーション５における共用車両のうちの乗換候補車両毎にレコードが格納されるようになっている。なお、乗換ステーション名の列には、乗換地の候補となる乗換ステーション５のステーション名が設定される。また、車両識別番号の列には、乗換地の候補となる乗換ステーション５の共用車両ＤＢ５３から取得した共用車両情報に含まれる車両識別番号が設定される。但し、乗換ステーション５に共用車両が１台もない場合や、規制領域を走行可能な共用車両が１台もない場合には、車両識別番号の列には「車両なし」が設定される。また、充電率の予測値及び充電量の予測値の列には、車両３がその乗換ステーション５に到着すると予想される時刻の時点における充電率及び充電量の予測結果が設定される。また、移動距離の列には、（１）乗換ステーション５から目的地までの距離、（２）乗換ステーション５から目的地周辺の充電施設までの距離、（３）乗換ステーション５から目的地までの往復距離、のいずれかが設定される。また、消費電力量の列には、移動距離の列に設定された距離を走行するのに必要な電力量が設定される。また、充電量の予測値が、消費電力量の値より小さい場合には、乗換候補車両の優先順位の列には、「充電不足」が設定される。また、「充電不足」以外のレコードについては、規制領域から当該レコードに係る乗換ステーション５までの距離に従って、距離が最も大きいものから順に優先順位が振られ、乗換候補車両の優先順位の列に設定される。なお、優先順位が最も高い（例えば「１」が設定された）レコードに係る乗換ステーション５が、乗換地として決定される。図６の例では、優先順位が最も高いのは、「品川５０１ちＸＸＸＹ」のレコードであるため、目黒ステーションが乗換地となる。
【００１７】
また、乗換地決定装置７の乗換ステーションマスタＤＢ７２３には、例えば図７に示すようなデータが格納される。図７の例では、乗換ステーションマスタＤＢ７２３には、乗換ステーション５毎に、ステーション名と、所在地と、充電タイプと、アクセス先とが予め格納されるようになっている。なお、図７の例において、充電タイプの列の「１００Ｖ」は、その乗換ステーション５では１００Ｖ電圧電源に接続することにより充電が行われることを示している。また、充電タイプの列の「２００Ｖ」は、その乗換ステーション５では２００Ｖ電圧電源に接続することにより充電が行われることを示している。なお、充電タイプは、「１００Ｖ」と「２００Ｖ」の２種類だけに限られない。また、アクセス先の列には、その乗換ステーション５の管理装置５１のＩＰ（Internet Protocol）アドレスなどが設定される。
【００１８】
さらに、乗換地決定装置７の充電施設マスタＤＢ７２５には、例えば図８に示すようなデータが格納される。図８の例では、充電施設マスタＤＢ７２５には、充電施設毎に、施設名と、所在地と、充電タイプと、アクセス先とが予め格納されるようになっている。また、アクセス先の列には、その充電施設に設置されている装置などのＩＰアドレスが設定される。
【００１９】
また、乗換地決定装置７の地図ＤＢ７０７には、乗換ステーション５と充電施設と規制領域との情報が地図上に予め設定されている地図データが格納されるようになっている。より具体的には、地図データにおいて、乗換ステーションマスタＤＢ７２３に登録されている乗換ステーション５の所在地に該当する位置には、当該乗換ステーション５を表す情報が予め設定されている。また、地図データにおいて、充電施設マスタＤＢ７２５に登録されている充電施設の所在地に該当する位置には、当該充電施設を表す情報が予め設定されている。なお、乗換ステーションマスタＤＢ７２３に格納されるデータは、地図ＤＢ７０７に格納される地図データと整合が取れているものとし、充電施設マスタＤＢ７２５に格納されるデータについても、地図ＤＢ７０７に格納される地図データと整合が取れているものとする。
【００２０】
さらに、乗換地決定装置７の車種ＤＢ７１５には、例えば図９に示すようなデータが格納される。図９の例では、車種ＤＢ７１５には、車種と、燃料種別と、規制領域の走行可否とが予め格納されるようになっている。図９の例では、「Ｔ車のＹＹＹ」は、ガソリン車であり、規制領域を走行できないことを示している。なお、規制領域によって規制すべき車両の種類が異なる場合には、図９に示すようなデータを規制領域毎に用意しておく。
【００２１】
また、乗換地決定装置７の充電カーブＤＢ７２７には、例えば図１０に示すような充電カーブを表すデータが格納される。図１０に示すように、充電カーブは、充電時間（単位：ｈ）と、充電率（単位：％）との関係を表す。例えば充電率が０％の状態（すなわち、空の状態）で１００Ｖ電圧電源に接続して３時間充電したとすると、３時間で約８５％分の電力量を充電できることが１００Ｖの充電カーブから分かる。また、例えば充電率が８５％の状態で１００Ｖ電圧電源に接続して３時間充電したとすると、３時間で約１２％分（＝９７−８５）の電力量を充電できることが１００Ｖの充電カーブから分かる。このように、充電タイプ及び充電時間が同じであったとしても、充電開始時の充電率が異なると、充電できる電力量も異なってくる。なお、図１０では、１００Ｖと２００Ｖの２種類の充電カーブを示しているが、充電カーブの種類はこれに限定されず、３種類以上の充電カーブを表すデータが格納されるようなこともある。
【００２２】
さらに、乗換地決定装置７の燃費ＤＢ７２９には、例えば図１１に示すようなデータが格納される。図１１の例では、燃費ＤＢ７２９には、車種と、フル充電時のバッテリーの電力量（単位：ｋＷｈ）と、フル充電での走行可能距離（単位：ｋｍ）と、平均燃費（ｋｍ／ｋＷｈ）とが予め格納されるようになっている。ここで、平均燃費は、１ｋＷｈの電力量で走行できる距離（ｋｍ）を表し、例えばフル充電での走行可能距離を、フル充電時のバッテリーの電力量で除することにより算出される。例えばフル充電したバッテリーで走行できる距離が１５０ｋｍ、フル充電時のバッテリーの電力量が３０ｋＷｈであった場合、平均燃費は５ｋｍ／ｋＷｈ（＝１５０÷３０）となる。
【００２３】
次に、図１２乃至図２６を用いて、図２に示したシステムの処理について説明する。なお、以下の説明においては、ガソリン車及びディーゼル車の走行が禁止され且つ電気自動車の走行は許可されている規制領域を想定する。例えば車両３（ガソリン車）の運転手が、車両３のカーナビゲーション装置３２に目的地を入力する。車両３のカーナビゲーション装置３２は、運転手から目的地の入力を受け付けると、入力された目的地の情報を車両情報格納部３１に格納する。また、目的地の入力を受け付けた時点の現在地を出発地として車両情報格納部３１に格納する。そして、車両３のカーナビゲーション装置３２は、出発地から目的地までの経路探索を行い、探索された経路情報を車両情報格納部３１に格納する。そして、車両３のカーナビゲーション装置３２は、電気自動車の探索を行うか否かの問い合わせ画面を表示する。例えば図１２に示すような画面が表示装置に表示される。図１２の例では、目的地と、探索された経路と、電気自動車の探索を行うかどうか（Ｙｅｓ／Ｎｏ）の問い合わせ情報とが表示されている。ここでは、電気自動車の探索を行う旨の指示（Ｙｅｓ）が、運転手により選択入力されたものとする。車両３のカーナビゲーション装置３２は、運転手からの選択入力を受け付けると、車両情報格納部３１に格納されている車両情報を乗換地決定装置７に送信するよう通信部３３に指示する。なお、図４に示したように、車両情報には、車両識別番号（例えばナンバープレートの情報）と、車種と、現在地と、目的地と、経路情報とが含まれる。そして、車両３の通信部３３は、カーナビゲーション装置３２からの指示に応じて、車両情報格納部３１に格納されている車両情報を、ネットワーク１を介して乗換地決定装置７に送信する。ここでは、通信部３３が、乗換地決定装置７のＩＰアドレスなどを予め保持しているものとする。
【００２４】
なお、上では、車両３のカーナビゲーション装置３２が経路探索を行うものとして説明したが、必ずしも車両３のカーナビゲーション装置３２が経路探索を行わなければならないわけではない。例えば目的地の入力を受け付けた後、経路探索を行わずに、電気自動車の探索を行うか否かの問い合わせ画面を表示するようにしてもよい。この場合、問い合わせ画面では、経路は表示されない。また、乗換地決定装置７に送信する車両情報には、経路情報は含まれない。なお、後で説明する処理を実施することで、乗換地決定装置７から車両３へ乗換地の情報が通知されることになるが、車両３のカーナビゲーション装置３２で経路探索を行わなかった場合、乗換地の情報と合わせて、乗換地決定装置７で実施された経路探索処理の結果のうち、出発地から乗換地までの経路を乗換地決定装置７から車両３へ送信するようにしてもよい。
【００２５】
そして、乗換地決定装置７は、車両３から車両情報を受信すると、図１３、図１６及び図２２に示すような処理を実施する。具体的には、入力部７０１は、車両３から車両情報を受信すると、入力データ格納部７０３に格納する（図１３：ステップＳ１）。なお、以下では、車両情報を送信してきた車両３を、「経路走行車両」と呼ぶ。その後、経路探索部７０５は、入力データ格納部７０３に格納されている車両情報に経路情報が含まれているか判断する。車両情報に経路情報が含まれていない場合には、経路探索部７０５は、入力データ格納部７０３に格納されている車両情報と地図ＤＢ７０７に格納されている地図データとを用いて、車両情報に含まれる出発地から目的地までの経路探索を実施する（ステップＳ３）。そして、経路探索部７０５は、処理結果（すなわち、探索された経路情報）を入力データ格納部７０３の車両情報に追加する。なお、経路探索処理については、従来の処理と変わらないため、ここでは、これ以上述べない。また、車両情報に経路情報が含まれている場合（すなわち、経路走行車両のカーナビゲーション装置３２によって経路探索が行われている場合）には、乗換地決定装置７において経路探索処理を実施する必要はないため、本ステップの処理は省略される。このように、ステップＳ３の処理は省略されることもあるため、図１３では点線ブロックで示している。
【００２６】
その後、規制状態判定部７０９は、入力データ格納部７０３に格納されている車両情報と地図ＤＢ７０７に格納されている地図データとを用いて、出発地から目的地までの経路が規制領域を走行する経路であるか否か判定する（ステップＳ５）。なお、例えば、地図データには、規制領域が予め設定されているので、出発地から目的地までの経路を地図上にマッピングし、出発地から経路を辿ることにより、規制領域を走行する経路であるか否かを判定する。出発地から目的地までの経路が規制領域を通らない経路であると判定された場合（ステップＳ５：Ｎｏルート）、端子Ｂを介して図１６に移行し、処理を終了する。規制領域を通らない経路であれば、その車両（例えばガソリン車）に乗ったまま、目的地まで行くことができるので、わざわざ電気自動車へ乗り換える必要はない。なお、この場合、電気自動車への乗り換えが不要であることを、経路走行車両のカーナビゲーション装置３２に表示する。また、例えば車両３のカーナビゲーション装置３２が利用する地図データに、予め規制領域の情報が設定されているような場合には、本ステップの処理を車両３のカーナビゲーション装置３２で実施するような構成を採用することも可能である。この場合、車両３のカーナビゲーション装置３２は、経路探索を行った後、探索された経路が規制領域を走行する経路であるか判定するようにし、規制領域を走行する経路であった場合に、車両情報を乗換地決定装置７に送信するようにすればよい。このような構成を採用した場合には、乗換地決定装置７において規制領域を走行する経路であるかどうかの判定を行う必要はなく、本ステップの判定は省略可能である。このように、ステップＳ５の処理は省略されることもあるため、図１３では点線ブロックで示している。
【００２７】
一方、出発地から目的地までの経路が規制領域を走行する経路であると判定された場合（ステップＳ５：Ｙｅｓルート）、規制状態判定部７０９は、入力データ格納部７０３に格納されている車両情報と車種ＤＢ７１５に格納されているデータとを用いて、経路走行車両が規制対象車であるか否か判定する（ステップＳ７）。具体的には、車両情報に含まれる車種で車種ＤＢ７１５を検索することにより、規制領域の走行が禁止されている車種であるか判定する。なお、図９に示したようなデータが規制領域毎に用意されている場合には、該当する規制領域のデータに従って判定する。経路走行車両が規制対象車ではないと判定された場合（ステップＳ７：Ｎｏルート）、端子Ｂを介して図１６に移行し、処理を終了する。規制領域を通る経路であっても、その規制領域の走行が許可されている車両であれば、そのまま目的地まで行くことができるので、わざわざ電気自動車へ乗り換える必要はない。なお、この場合、電気自動車への乗り換えが不要であることを、経路走行車両のカーナビゲーション装置３２に表示する。
【００２８】
一方、経路走行車両が規制対象車であると判定された場合（ステップＳ７：Ｙｅｓルート）、ステップＳ９の処理に移行する。なお、規制領域の走行が禁止されている車両３のみが、乗換地決定装置７に対して問い合わせを行うような構成を採用することも可能であるが、そのような構成を採用した場合、経路走行車両は必ず規制対象車であるため、ステップＳ７の判定は省略可能である。この場合、ステップＳ５において、出発地から目的地までの経路が規制領域を走行する経路であると判定された場合には、ステップＳ９の処理に移行するようにすればよい。このように、ステップＳ７の処理は省略されることもあるため、図１３では点線ブロックで示している。
【００２９】
その後、共用車両情報取得部７１１は、入力データ格納部７０３に格納されている車両情報と地図ＤＢ７０７に格納されている地図データとを用いて、出発地から規制領域への進入地点までの経路区間上又は当該経路区間の周辺に存在する乗換ステーション５を探索する（ステップＳ９）。例えば、地図データには、該当する位置に予め乗換ステーション５を表す情報が設定されているので、例えば、出発地から目的地までの経路を地図上にマッピングし、出発地から規制領域の進入地点までの経路を辿ることにより、乗換ステーション５を探索する。この際、経路から所定の範囲内のエリアについても探索対象とすることで、経路区間の周辺に存在する乗換ステーション５も探索することができる。なお、共用車両情報取得部７１１は、検出された乗換ステーション５のステーション名などの情報を、ワークメモリ７１７に格納する。
【００３０】
そして、共用車両情報取得部７１１は、ワークメモリ７１７と乗換ステーションマスタＤＢ７２３とに格納されているデータを用いて、検出された乗換ステーション５の共用車両ＤＢ５３から共用車両情報を取得し、ワークメモリ７１７に格納する（ステップＳ１１）。具体的には、ワークメモリ７１７から、検出された各乗換ステーション５のステーション名を読み出し、読み出したステーション名に対応するアクセス先の情報を乗換ステーションマスタＤＢ７２３から抽出する。そして、例えばアクセス先の情報が乗換ステーション５の管理装置５１のＩＰアドレスである場合には、ＩＰアドレスに従って、検出された乗換ステーション５の管理装置５１宛に共用車両情報の取得要求を送信する。なお、乗換ステーション５の管理装置５１では、乗換地決定装置７からの取得要求を受信すると、自身が管理している共用車両ＤＢ５３に格納されている共用車両情報を乗換地決定装置７に送信するようになっているものとする。このようにして、共用車両情報取得部７１１は、検出された乗換ステーション５の共用車両ＤＢ５３に格納されている共用車両情報を取得し、取得元の乗換ステーション５のステーション名と対応付けてワークメモリ７１７に格納する。
【００３１】
その後、乗換候補車両抽出部７１３は、車種ＤＢ７１５に格納されているデータとワークメモリ７１７に格納されている共用車両情報とを用いて、共用車両情報から乗換候補車両を抽出する（ステップＳ１３）。なお、規制領域の走行が許可され且つ予約状況が「空」である共用車両を、乗換候補車両として抽出する。具体的には、まず、空のワークテーブルを生成し、ワークメモリ７１７に格納する。そして、ワークメモリ７１７に格納されている共用車両情報に含まれる共用車両毎に、当該共用車両の車種で車種ＤＢ７１５を検索することにより、当該共用車両が規制領域の走行を許可されている車種であるか否か判定する。なお、図９に示したようなデータが規制領域毎に車種ＤＢ７１５に格納されている場合には、該当する規制領域のデータを用いて判定する。さらに、規制領域の走行が許可されている共用車両については、共用車両情報に含まれる予約状況が「空」であるか判定する。そして、規制領域の走行が許可され且つ予約状況が「空」である共用車両について、当該共用車両の車両識別番号を共用車両情報から抽出し、その共用車両情報に対応付けられているステーション名と抽出した車両識別番号とを含むレコードをワークメモリ７１７のワークテーブルに登録する。なお、規制領域の走行が許可され且つ予約状況が「空」である共用車両が１台もない乗換ステーション５については、その乗換ステーション５のステーション名を含むレコードをワークメモリ７１７のワークテーブルに登録し、当該レコードの車両識別番号には「車両なし」を設定するようにしているが、規制領域の走行が許可され且つ予約状況が「空」である共用車両が１台もない乗換ステーション５については、ワークテーブルにレコードを登録しないようにしてもよい。
【００３２】
なお、ステップＳ１３の処理を実施すると、例えば図１４に示すようなワークテーブルがワークメモリ７１７に格納される。図１４の例では、渋谷ステーションには、乗換候補車両が１台もなく、三軒茶屋ステーションには、乗換候補車両が２台あり、目黒ステーションには、乗換候補車両が３台あり、厚木ステーションには、乗換候補車両が１台あることを示している。なお、図１４に示すように、この時点では、充電率の予測値と、充電量の予測値と、移動距離と、消費電力量と、乗換候補車両の優先順位との各列には、まだ値が設定されていない。
【００３３】
そして、乗換候補車両抽出部７１３は、ワークメモリ７１７に格納されているワークテーブル内に乗換候補車両があるか判定する（ステップＳ１５）。すなわち、車両識別番号に「車両なし」が設定されているレコード以外のレコードがワークテーブルに登録されているか否か判定する。ワークテーブル内に乗換候補車両がある場合（ステップＳ１５：Ｙｅｓルート）、処理は、端子Ａを介してステップＳ１９（図１６）に移行する。
【００３４】
一方、ワークテーブル内に乗換候補車両がなければ（ステップＳ１５：Ｎｏルート）、乗換候補車両抽出部７１３は、乗換候補車両がない旨の通知を経路走行車両に送信するよう出力部７３３に指示する。そして、出力部７３３は、乗換候補車両抽出部７１３からの指示に応じて、乗換候補車両がない旨の通知を、経路走行車両に送信する（ステップＳ１７）。その後、端子Ｂを介して図１６に移行し、処理を終了する。なお、乗換地決定装置７から乗換候補車両がない旨の通知を受信した経路走行車両では、カーナビゲーション装置３２が、図１５に示すような画面を表示する。図１５の例では、「空き車両がありません。」といった内容が表示されている。この後、車両３のカーナビゲーション装置３２にて、規制領域を迂回するような経路の探索を実施するようにしてもよい。
【００３５】
図１６の説明に移行して、端子Ａの後、充電量予測部７１９が、入力データ格納部７０３に格納されている車両情報と地図ＤＢ７０７に格納されている地図データとワークメモリ７１７に格納されているワークテーブルとを用いて、乗換候補車両を有する乗換ステーション５毎に、出発地から当該乗換ステーション５までの距離を算出する（図１６：ステップＳ１９）。例えば地図データには乗換ステーション５を表す情報が設定されているので、例えば車両情報に含まれる経路を地図上にマッピングすれば、出発地及び乗換ステーション５の位置が特定されるので、出発地から乗換ステーション５までの距離を算出する。なお、地図上の二点間の距離を算出するような処理は、従来の処理と変わらないため、ここでは、これ以上述べない。
【００３６】
その後、充電量予測部７１９は、ステップＳ１９で算出した距離とワークメモリ７１７に格納されているワークテーブルとを用いて、乗換候補車両を有する乗換ステーション５毎に、経路走行車両が当該乗換ステーション５に到着すると予想される時刻（以下、到着予想時刻と呼ぶ）を算出する（ステップＳ２１）。例えば道路の制限速度などの情報とステップＳ１９で算出した距離とに従って、距離÷速度＝時間を算出し、例えば信号や踏み切りなどの道路状況を考慮して、算出した時間を調整することにより、到着予想時刻を算出する。
【００３７】
そして、充電量予測部７１９は、ステップＳ２１で算出した到着予想時刻と、ワークメモリ７１７と乗換ステーションマスタＤＢ７２３と充電カーブＤＢ７２７と燃費ＤＢ７２９とに格納されているデータとを用いて、充電量予測処理を実施する（ステップＳ２３）。この充電量予測処理については図１７を用いて説明する。
【００３８】
まず、充電量予測部７１９は、ワークメモリ７１７に格納されているワークテーブルにおいて、乗換候補車両を有する乗換ステーション５のうち、未処理のものを処理対象として１つ特定する（図１７：ステップＳ６１）。そして、充電量予測部７１９は、乗換ステーションマスタＤＢ７２３から、処理対象の乗換ステーション５に対応する充電タイプを取得する（ステップＳ６３）。
【００３９】
そして、充電量予測部７１９は、ワークテーブルにおいて、処理対象の乗換ステーション５に係るレコードのうち未処理のレコードを１つ特定する（ステップＳ６５）。そして、充電量予測部７１９は、ワークメモリ７１７に格納されている共用車両情報から、特定されたレコードに係る乗換候補車両の充電率を取得する（ステップＳ６７）。
【００４０】
その後、充電量予測部７１９は、特定されたレコードに係る乗換候補車両について、充電タイプと、充電率と、到着予想時刻と、充電カーブＤＢ７２７に格納されている充電カーブを表すデータとを用いて、到着予想時刻の時点における充電率を予測し、予測値をワークメモリ７１７に格納する（ステップＳ６９）。具体的には、まず、現在時刻から到着予想時刻までの時間ｔを算出する。また、ステップＳ６３において取得した充電タイプに対応する充電カーブを表すデータを充電カーブＤＢ７２７から読み出す。そして、その充電カーブにおいて、ステップＳ６７において取得した充電率を充電開始時の充電率として、ｔ時間後の充電率を予測し、予測値を、ワークメモリ７１７のワークテーブルにおける、特定されたレコードの充電率の予測値の列に設定する。例えば充電タイプが１００Ｖ、充電開始時の充電率が５０％、現在時刻から予想到着時刻までの時間ｔが１時間であった場合には、図１８に示すように、充電率５０％の状態（図１８の１８０１）から１時間充電したとすると、充電率は７５％の状態（図１８の１８０２）となる。すなわち、予想到着時刻の時点における充電率は７５％であると予測される。
【００４１】
その後、充電量予測部７１９は、特定されたレコードに係る乗換候補車両について、ワークメモリ７１７と燃費ＤＢ７２９とに格納されているデータを用いて、到着予想時刻の時点における充電量を予測し、予測値をワークメモリ７１７に格納する（ステップＳ７１）。具体的には、ワークメモリ７１７のワークテーブルから、特定されたレコードに設定されている充電率の予測値を読み出し、燃費ＤＢ７２９からフル充電時のバッテリーの電力量を読み出す。そして、充電率の予測値に、フル充電時のバッテリーの電力量を乗ずることにより、到着予想時刻の時点における充電量を予測し、予測値を、ワークメモリ７１７のワークテーブルにおける、特定されたレコードの充電量の予測値の列に設定する。例えば充電率の予測値が５０％、フル充電時のバッテリーの電力量が３０ｋＷｈであった場合、到着予想時刻の時点における充電量は１５ｋＷｈ（＝０．５×３０ｋＷｈ）と予測される。
【００４２】
そして、充電量予測部７１９は、ワークメモリ７１７に格納されているワークテーブルにおいて、処理対象の乗換ステーション５に係るレコード全てについて処理が完了したか判断する（ステップＳ７３）。処理対象の乗換ステーション５に係るレコード全てについて処理が完了していなければ（ステップＳ７３：Ｎｏルート）、ステップＳ６５の処理に戻る。一方、処理対象の乗換ステーション５に係るレコード全てについて処理が完了した場合（ステップＳ７３：Ｙｅｓルート）、ステップＳ７５の処理に移行する。
【００４３】
そして、充電量予測部７１９は、ワークメモリ７１７に格納されているワークテーブルにおいて、乗換候補車両を有する全ての乗換ステーション５について処理が完了したか判断する（ステップＳ７５）。乗換候補車両を有する全ての乗換ステーション５について処理が完了していなければ（ステップＳ７５：Ｎｏルート）、ステップＳ６１の処理に戻る。一方、乗換候補車両を有する全ての乗換ステーション５について処理が完了した場合（ステップＳ７５：Ｙｅｓルート）、本処理を終了し、元の処理に戻る。
【００４４】
以上のような処理を実施することによって、各乗換候補車両について、到着予想時刻の時点における充電率及び充電量を予測することができる。図１４に示したデータでは、充電率の予測値と、充電量の予測値と、移動距離と、消費電力量と、乗換候補車両の優先順位との各列は空欄であったが、この充電量予測処理（ステップＳ２３）を実施すると、充電率の予測値の列と、充電量の予測値の列とにデータが設定される。
【００４５】
図１６の説明に戻って、消費電力量予測部７２１は、入力データ格納部７０３と地図ＤＢ７０７とワークメモリ７１７と燃費ＤＢ７２９とに格納されているデータを用いて、消費電力量予測処理を実施する（ステップＳ２５）。なお、ステップＳ１９乃至Ｓ２３の処理と、ステップＳ２５の処理とは、順番を入れ替えて実施してもよいし、並行して実施してもよい。この消費電力量予測処理については図１９を用いて説明する。
【００４６】
まず、消費電力量予測部７２１は、ワークメモリ７１７に格納されているワークテーブルにおいて、乗換候補車両を有する乗換ステーション５のうち、未処理のものを処理対象として１つ特定する（図１９：ステップＳ８１）。そして、消費電力量予測部７２１は、乗換ステーション５から目的地までの往復距離を移動距離として算出するかどうか判定する（ステップＳ８３）。具体的には、入力データ格納部７０３に格納されており、乗り換えた共用車両で乗換ステーション５まで戻ってくるかどうかの選択入力データを用いて判定する。例えば乗り換えた共用車両で乗換ステーション５まで戻ってくるかどうかを経路走行車両の運転手に選択させるようにし、ユーザからの選択入力を受け付けると、経路走行車両の通信部３３が選択入力データを乗換地決定装置７に送信するようになっているものとする。なお、乗換地決定装置７の入力部７０１は、経路走行車両から選択入力データを受信した場合には、受信した選択入力データを入力データ格納部７０３に格納しておく。例えば選択入力データが、乗り換えた共用車両で乗換ステーション５まで戻ってくる旨を表している場合には、乗換ステーション５から目的地までの往復距離を移動距離として算出するものと判定する。なお、経路走行車両の運転手から特に指定がなければ、デフォルトの設定に従うようにしてもよい。
【００４７】
そして、乗換ステーション５から目的地までの往復距離を移動距離として算出すると判定された場合（ステップＳ８３：Ｙｅｓルート）、消費電力量予測部７２１は、入力データ格納部７０３に格納されている車両情報に含まれる経路情報と地図ＤＢ７０７に格納されている地図データとを用いて、処理対象の乗換ステーション５から目的地までの往復距離を移動距離として算出する（ステップＳ８５）。具体的には、処理対象の乗換ステーション５から目的地までの距離を算出し、さらにその距離を２倍した値を移動距離として算出する。例えば車両情報に含まれる経路を地図上にマッピングすれば、処理対象の乗換ステーション５及び目的地の位置が特定されるので、処理対象の乗換ステーション５から目的地までの距離を算出する。なお、地図上の二点間の距離を算出するような処理は、従来の処理と変わらないため、ここでは、これ以上述べない。消費電力量予測部７２１は、算出した移動距離を、ワークメモリ７１７のワークテーブルにおける、処理対象の乗換ステーション５に係る全てのレコードに設定する。その後、ステップＳ９１の処理に移行する。
【００４８】
一方、乗換ステーション５から目的地までの往復距離を移動距離として算出しないと判定された場合（ステップＳ８３：Ｎｏルート）、消費電力量予測部７２１は、入力データ格納部７０３に格納されている車両情報と地図ＤＢ７０７に格納されている地図データとを用いて、目的地周辺に存在する充電場所（充電施設あるいは乗換ステーション５）を探索する（ステップＳ８７）。なお、例えば地図データには、予め充電施設及び乗換ステーション５を表す情報が設定されているので、地図データにおいて目的地周辺を検索することにより、例えば目的地から最も近い充電施設又は乗換ステーション５を充電場所として検出する。なお、充電施設又は乗換ステーション５の所在地が目的地として設定されているような場合には、目的地が充電場所となる。そして、消費電力量予測部７２１は、入力データ格納部７０３に格納されている車両情報と地図ＤＢ７０７に格納されている地図データとを用いて、処理対象の乗換ステーション５から目的地周辺の充電場所までの距離を移動距離として算出する（ステップＳ８９）。なお、ここでは、目的地を経由せずに処理対象の乗換ステーション５から目的地周辺の充電場所まで行く場合の経路の距離を移動距離としてもよいし、処理対象の乗換ステーション５から目的地を経由して目的地周辺の充電場所まで行く場合の経路の距離を移動距離としてもよい。消費電力量予測部７２１は、算出した移動距離を、ワークメモリ７１７のワークテーブルにおける、処理対象の乗換ステーション５に係る全てのレコードに設定する。その後、ステップＳ９１の処理に移行する。
【００４９】
そして、消費電力量予測部７２１は、ワークテーブルにおいて、処理対象の乗換ステーション５に係るレコードのうち未処理のレコードを１つ特定する（ステップＳ９１）。そして、消費電力量予測部７２１は、ワークメモリ７１７に格納されている共用車両情報から、特定されたレコードに係る乗換候補車両の車種を取得する。そして、消費電力量予測部７２１は、取得した車種を用いて、燃費ＤＢ７２９から、特定されたレコードに係る乗換候補車両の平均燃費を取得する（ステップＳ９３）。
【００５０】
その後、消費電力量予測部７２１は、特定されたレコードに係る乗換候補車両について、特定されたレコードにおける移動距離と取得した平均燃費とを用いて、移動距離を走行するのに必要な消費電力量を算出し、ワークメモリ７１７に格納する（ステップＳ９５）。具体的には、移動距離を平均燃費で除することにより消費電力量を算出し、ワークメモリ７１７のワークテーブルにおける、特定されたレコードの消費電力量の列に設定する。例えば移動距離が６０ｋｍ、平均燃費が５ｋｍ／ｋＷｈであった場合、消費電力量は１２ｋＷｈ（＝６０÷５）となる。
【００５１】
そして、消費電力量予測部７２１は、ワークメモリ７１７に格納されているワークテーブルにおいて、処理対象の乗換ステーション５に係る全てのレコードについて処理が完了したか判断する（ステップＳ９７）。処理対象の乗換ステーション５に係る全てのレコードについて処理が完了していなければ（ステップＳ９７：Ｎｏルート）、ステップＳ９１の処理に戻る。一方、処理対象の乗換ステーション５に係る全てのレコードについて処理が完了した場合（ステップＳ９７：Ｙｅｓルート）、ステップＳ９９の処理に移行する。
【００５２】
そして、消費電力量予測部７２１は、ワークメモリ７１７に格納されているワークテーブルにおいて、乗換候補車両を有する全ての乗換ステーション５について処理が完了したか判断する（ステップＳ９９）。乗換候補車両を有する全ての乗換ステーション５について処理が完了していなければ（ステップＳ９９：Ｎｏルート）、ステップＳ８１の処理に戻る。一方、乗換候補車両を有する全ての乗換ステーション５について処理が完了した場合（ステップＳ９９：Ｙｅｓルート）、本処理を終了し、元の処理に戻る。
【００５３】
以上のような処理を実施することによって、各乗換候補車両について、移動距離を走行するのに必要な消費電力量を算出することができる。図１４に示したデータでは、充電率の予測値と、充電量の予測値と、移動距離と、消費電力量と、乗換候補車両の優先順位との各列は空欄であったが、この消費電力量予測処理（ステップＳ２５）を実施すると、移動距離の列と、消費電力量の列とにデータが設定される。
【００５４】
図１６の説明に戻って、乗換地決定部７３１は、ワークメモリ７１７に格納されているワークテーブルにおいて、移動距離を走行可能と推定される乗換候補車両を探索する（ステップＳ２７）。例えば、ワークテーブルに登録されているレコード毎に、充電量の予測値が消費電力量より大きいという条件（もしくは、消費電力量に必要なマージンを上乗せし、充電量の予測値が、マージンを上乗せした後の消費電力量より大きいという条件）を満たすか否か判定し、当該条件を満たすレコードに係る乗換候補車両を、移動距離を走行可能と推定される乗換候補車両として検出する。なお、上記条件を満たさないレコードについては、乗換候補車両の優先順位の列に「充電不足」を設定する。移動距離を走行可能と推定される乗換候補車両を１台も検出できなければ（ステップＳ２９：Ｎｏルート）、端子Ｃを介してステップＳ３７（図２２）の処理に移行する。
【００５５】
一方、移動距離を走行可能と推定される乗換候補車両を検出できた場合（ステップＳ２９：Ｙｅｓルート）、乗換地決定部７３１は、ワークメモリ７１７に格納されているワークテーブルと地図ＤＢ７０７に格納されている地図データとを用いて、移動距離を走行可能と推定される乗換候補車両を有する乗換ステーション５の中で、規制領域から最も遠い乗換ステーション５を乗換地として決定する（ステップＳ３１）。例えば地図データを用いて、移動距離を走行可能と推定される乗換候補車両を有する乗換ステーション５毎に、当該乗換ステーション５から規制領域までの距離を算出する。そして、算出した距離が最も大きいものから順に優先順位を設定し、ワークメモリ７１７のワークテーブルにおける乗換候補車両の優先順位の列に格納する。そして、優先順位が最も高いレコードに係る乗換ステーション５（すなわち、規制領域から最も遠い乗換ステーション５）を乗換地として決定する。また、優先順位が最も高いレコードに係る乗換候補車両を乗換先車両として決定する。
【００５６】
そして、乗換地決定部７３１は、決定した乗換地の情報（乗換ステーション５のステーション名など）を経路走行車両に送信するよう出力部７３３に指示する。そして、出力部７３３は、乗換地決定部７３１からの指示に応じて、乗換地の情報を経路走行車両に送信する（ステップＳ３３）。この際、乗換先車両の車両識別情報などを合わせて送信するようにしてもよい。なお、乗換地決定装置７から乗換地の情報を受信した経路走行車両では、カーナビゲーション装置３２が、例えば図２０に示すような画面を表示する。図２０の例では、乗換地として決定された乗換ステーション５のステーション名「目黒」と、乗換先車両の車両識別番号「品川５０１ちＸＸＸＹ」とが表示されている。
【００５７】
また、乗換地決定部７３１は、乗換先車両の予約通知を、乗換地として決定された乗換ステーション５に送信するよう出力部７３３に指示する。そして、出力部７３３は、乗換地決定部７３１からの指示に応じて、予約通知を乗換地として決定された乗換ステーション５に送信する（ステップＳ３５）。例えば図２１に予約通知の一例を示す。図２１の例では、予約通知には、乗換先車両（すなわち、予約対象車両）の車両識別番号「品川５０１ちＸＸＸＹ」と、経路走行車両の車両番号（すなわち、ナンバープレートの情報）「川崎５０１ぬＸＸＸＸ」と、到着予想時刻「１２：００」とが含まれている。その後、乗換地決定装置７は処理を終了する。なお、予約通知を受信した乗換ステーション５の管理装置５１は、共用車両ＤＢ５３において、予約対象の車両に係るレコードの予約状況を「空」から「予約」に変更する。また、経路走行車両の車両番号を、予約対象の車両に係るレコードに対応付けて共用車両ＤＢ５３に格納する。
【００５８】
また、図２２の説明に移行して、端子Ｃの後、乗換地決定部７３１は、移動距離を走行可能と推定される乗換候補車両がない旨を経路走行車両に通知するよう出力部７３３に指示する。そして、出力部７３３は、乗換地決定部７３１からの指示に応じて、移動距離を走行可能と推定される乗換候補車両がない旨の通知を経路走行車両に送信する（図２２：ステップＳ３７）。なお、乗換地決定装置７から、移動距離を走行可能と推定される乗換候補車両がない旨の通知を受信した経路走行車両では、カーナビゲーション装置３２が、例えば図２３に示すような画面を表示する。図２３の例では、「適当な車がありません。」といった内容と、「目的地までの間に充電か再乗換があっても良いですか？（Ｙｅｓ／Ｎｏ）」といった問い合わせ内容とが表示されている。例えば、経路走行車両の運転手が、図２３のような画面を見て、充電又は再乗換があってもよいかどうかを選択すると、経路走行車両のカーナビゲーション装置３２は、運転手からの選択入力を受け付ける。そして、経路走行車両の通信部３３が、選択入力データを乗換地決定装置７に送信する。なお、乗換地決定装置７の入力部７０１は、経路走行車両から選択入力データを受信した場合には、受信した選択入力データを入力データ格納部７０３に格納しておく。
【００５９】
そして、乗換地決定部７３１は、入力データ格納部７０３に格納されている、充電又は再乗換があってもよいかどうかの選択入力データが充電又は再乗換を許容する旨（Ｙｅｓ）を表しているか判断する（ステップＳ３９）。選択入力データが充電及び再乗換を許容しない旨（Ｎｏ）を表している場合には（ステップＳ３９：Ｎｏルート）、端子Ｄを介して図１６に移行し、処理を終了する。
【００６０】
一方、選択入力データが充電又は再乗換を許容する旨を表している場合（ステップＳ３９：Ｙｅｓルート）、ステップＳ４１の処理に移行する。そして、乗換地決定部７３１が、ワークメモリ７１７に格納されているワークテーブル内のレコードを、充電量の予測値の多い順にソートする（ステップＳ４１）。例えば図２４にソート結果の一例を示す。図２４の例では、一番上のレコード（すなわち、車両識別番号が「横浜５０１たＸＸＸ」のレコード）における充電量の予測値「１５」が最も大きく、一番下のレコード（すなわち、車両識別番号が「品川５０１かＸＹＸＹ」のレコード）における充電量の予測値「８」が最も小さい値となっている。
【００６１】
そして、乗換地決定部７３１は、ソート後のワークテーブルにおいて、上から順に未処理のレコードを１つ特定する（ステップＳ４３）。そして、乗換地決定部７３１は、ワークメモリ７１７と燃費ＤＢ７２９とに格納されているデータを用いて、特定されたレコードに係る乗換候補車両の走行可能距離を算出する（ステップＳ４５）。具体的には、ワークメモリ７１７に格納されている共用車両情報から、特定されたレコードに係る乗換候補車両の車種を取得し、さらに取得した車種を用いて燃費ＤＢ７２９から、特定されたレコードに係る乗換候補車両の平均燃費を取得する。そして、特定されたレコードにおける充電量の予測値に平均燃費を乗ずることにより、走行可能距離を算出する。例えば充電量の予測値が１５ｋＷｈ、平均燃費が５ｋｍ／ｋＷｈであった場合、走行可能距離は７５ｋｍ（＝１５×５）となる。
【００６２】
その後、乗換地決定部７３１は、入力データ格納部７０３に格納されている車両情報と地図ＤＢ７０７に格納されている地図データとを用いて、特定されたレコードに係る乗換ステーション５から目的地までの経路区間上又は当該経路区間の周辺に存在し且つ走行可能距離の範囲内に存在する充電施設又は乗換ステーション５を探索する（ステップＳ４７）。例えば地図データには、予め充電施設を表す情報及び乗換ステーション５を表す情報が設定されているので、例えば、特定されたレコードに係る乗換ステーション５から目的地までの経路を地図上にマッピングし、その乗換ステーション５から走行可能距離の範囲内で経路を辿ることにより、充電施設又は乗換ステーション５を探索する。この際、経路から所定の範囲内のエリアについても探索対象とすることで、経路区間の周辺に存在する充電施設又は乗換ステーション５も探索することができる。
【００６３】
そして、乗換地決定部７３１は、充電施設又は乗換ステーション５を検出できたか判断する（ステップＳ４９）。充電施設又は乗換ステーション５を検出できた場合（ステップＳ４９：Ｙｅｓルート）、乗換地決定部７３１は、検出された充電施設又は乗換ステーション５の情報（施設名、ステーション名、所在地など）を乗換ステーションマスタＤＢ７２３又は充電施設マスタＤＢ７２５から取得する。その後、処理はステップＳ５１に移行する。なお、特定されたレコードに係る乗換ステーション５が乗換地となり、ステップＳ４７において検出された乗換ステーションは、次の乗換地の候補となる。また、特定されたレコードに係る乗換候補車両が乗換先車両となる。そして、乗換地決定部７３１は、乗換地の情報（ステーション名、所在地など）と、ステップＳ４７において検出された充電施設又は乗換ステーション５の情報とを経路走行車両に送信するよう出力部７３３に指示する。そして、出力部７３３は、乗換地決定部７３１からの指示に応じて、乗換地の情報と、検出された充電施設又は乗換ステーション５の情報とを経路走行車両に送信する（ステップＳ５１）。この際、乗換先車両の車両識別情報などを合わせて送信するようにしてもよい。なお、乗換地決定装置７から乗換地の情報を受信した経路走行車両では、カーナビゲーション装置３２が、例えば図２５に示すような画面を表示する。図２５の例では、乗換地として決定された乗換ステーション５のステーション名「厚木」と、乗換先車両の車両識別番号「横浜５０１たＸＸＸ」とが表示されている。さらに、「充電量が○○なので、以下の施設での充電をお願いします。」といった案内と、充電施設の情報として、「レストラン」及び「充電スタンド」の情報が表示されている。
【００６４】
また、乗換地決定部７３１は、乗換先車両の予約通知を、乗換地となる乗換ステーション５に送信するよう出力部７３３に指示する。そして、出力部７３３は、乗換地決定部７３１からの指示に応じて、予約通知を乗換地となる乗換ステーション５に送信する（ステップＳ５３）。例えば図２１に示したような予約通知を送信する。その後、端子Ｄを介して図１６に移行し、処理を終了する。
【００６５】
一方、ステップＳ４７において充電施設又は乗換ステーション５を１つも検出できなかった場合には（ステップＳ４９：Ｎｏルート）、乗換地決定部７３１は、ソート後のワークテーブル内の全てのレコードについて処理が完了したか判断する（ステップＳ５５）。ソート後のワークテーブル内の全てのレコードについて処理が完了していなければ（ステップＳ５５：Ｎｏルート）、ステップＳ４３の処理に戻る。
【００６６】
一方、ソート後のワークテーブル内の全てのレコードについて処理が完了した場合（ステップＳ５５：Ｙｅｓルート）、乗換地決定部７３１は、適当な乗換候補車両がない旨を経路走行車両に通知するよう出力部７３３に指示する。そして、出力部７３３は、乗換地決定部７３１からの指示に応じて、適当な乗換候補車両がない旨の通知を経路走行車両に送信する（ステップＳ５７）。その後、端子Ｄを介して図１６に移行し、処理を終了する。なお、乗換地決定装置７から、適当な乗換候補車両がない旨の通知を受信した経路走行車両では、カーナビゲーション装置３２が、例えば図２６に示すような画面を表示する。図２６の例では、「適当な車がありません。」といった内容が表示されている。
【００６７】
以上のような処理を実施することによって、例えば充電量が十分な電気自動車への乗り換えが可能な乗換ステーション５の情報が経路走行車両の運転手に提示されるので、運転手は、適切な乗換地を把握できるようになる。なお、適当な電気自動車を有する乗換ステーション５が複数存在した場合には、規制領域から最も遠い乗換ステーション５を乗換地として決定するので、乗り換えが規制領域に近い乗換ステーション５に集中することを防止できる。これにより、規制領域に近い乗換ステーション５における空き車両の台数不足の解消に繋がり、全体としても効率化が図られる。
【００６８】
［他の実施の形態］
上で述べた実施の形態では、個々の乗換ステーション５にて共用車両情報を管理するようになっている場合について説明したが、例えば全ての乗換ステーション５の共用車両情報を集中管理するようなサーバを設けるようにしてもよい。この場合、各乗換ステーション５の管理装置５１が、例えば周期的に又は所定のタイミングにて、共用車両ＤＢ５３に格納されているデータをサーバに送信するようにし、乗換地決定装置７の共用車両情報取得部７１１は、サーバから、乗換地の候補となる乗換ステーション５に係る共用車両情報を取得するようにすればよい。
【００６９】
また、上で述べた実施の形態では、車両３からの車両情報を受信した乗換地決定装置７において乗換地を決定し、乗換地の情報を車両３に送信するような構成であったが、例えば図３に示した各処理部及び各ＤＢを車両３のカーナビゲーション装置３２内に設けて、上で述べたような処理を車両３のカーナビゲーション装置３２において実施するような構成であってもよい。この場合のシステム構成を図２７に示す。図２７では、図２に示したシステム構成から乗換地決定装置７を取り除いたシステム構成となっている。なお、上で述べた実施の形態では、車両３の車両情報は車両情報格納部３１に格納されるようになっていたが、図３に示した各処理部及び各ＤＢを車両３のカーナビゲーション装置３２に設けた場合には、車両情報を、カーナビゲーション装置３２内の入力データ格納部７０３に予め格納するようにしておけばよい。また、上で述べた実施の形態では、入力部７０１及び出力部７３３は、車両３とのインタフェースとして機能していたが、車両３のカーナビゲーション装置３２に設けられた場合には、運転手とのインタフェースとして機能することになる。すなわち、入力部７０１は、運転手から目的地の入力や、乗り換えた共用車両で乗換ステーション５まで戻ってくるかどうかの選択入力、充電又は再乗換があってもよいかどうかの選択入力を受け付け、目的地の情報や選択入力データを入力データ格納部７０３に格納する。また、出力部７３３は、図１２、図１５、図２０、図２３、図２５及び図２６に示したような画面を運転手に提示する。
【００７０】
以上本技術の実施の形態について説明したが、本技術はこれに限定されるものではない。例えば図３に示した乗換地決定装置７の機能ブロック図は一例であって、必ずしも実際のプログラムモジュール構成と一致しない場合もある。データ格納部の構成も同様に一例にすぎない。
【００７１】
さらに、処理フローについても処理結果が変わらない限りにおいて処理順番を入れ替えたり、並列に実行したりするようにしても良い。
【００７２】
また、上で述べた実施の形態では、電気自動車が乗換候補車両となる例を説明したが、規制領域の走行が許可されている車両であれば、電気自動車以外の車両が乗換候補車両となる場合もある。このような場合も、予想到着時刻の時点におけるエネルギー量と移動距離を走行するのに必要な消費エネルギー量とを予測し、予測結果を用いて、移動距離を走行可能かどうか推定するようにすればよい。
【００７３】
なお、上で述べた乗換地決定装置７やカーナビゲーション装置３２は、コンピュータ装置であって、図２８に示すように、メモリ２５０１とＣＰＵ２５０３とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。本技術の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及び必要なアプリケーション・プログラムとが有機的に協働することにより、上で述べたような各種機能を実現する。
【００７４】
カーナビゲーション装置についてはＨＤＤ２５０５を有しない場合もあるが、その場合には、代わりとなる記憶装置が用いられる。また、ドライブ装置２５１３と、フラッシュメモリ型の記録媒体の読み取り装置とを合わせて有する場合もあれば、ドライブ装置２５１３を有さず、フラッシュメモリ型の記録媒体の読み取り装置のみを有する場合もある。
【００７５】
以上本実施の形態をまとめると以下のようになる。
【００７６】
第１の態様に係る乗換地決定方法は、地図データと特定の種類の車両の進入が規制されている規制領域の情報と規制領域を走行可能な種類の共用車両への乗換拠点の情報とを格納する地図データベースに格納されている規制領域の情報から、出発地から目的地までの経路が規制領域を走行する経路であるか判定するステップ（図２９：Ｓ１００１）と、出発地から目的地までの経路が規制領域を走行する経路であると判定された場合、地図データベースにおいて、出発地から規制領域への進入地点までの経路区間上又は当該経路区間から所定の範囲内に存在する乗換拠点を探索し、検出された乗換拠点における共用車両の空き状況を収集する乗換拠点探索ステップ（図２９：１００３）と、収集された共用車両の空き状況に従って、乗換拠点探索ステップにより検出された乗換拠点の中から、共用車両への乗り換えが可能な乗換拠点を乗換地として決定し、当該乗換地の情報を出力する乗換地決定ステップ（図２９：Ｓ１００５）とを含む。
【００７７】
このようにすれば、共用車両への乗り換えが可能な乗換地（例えば、乗換ステーション）の情報が出力されるので、規制領域に進入できない特定の種類の車両（例えばガソリン車）の運転手は、どこで共用車両（例えば電気自動車）へ乗り換えればよいか把握できるようになる。
【００７８】
また、上で述べた乗換地決定ステップが、共用車両への乗り換えが可能な乗換拠点が複数存在する場合、規制領域から最も遠い乗換拠点を乗換地として決定するステップを含むようにしてもよい。このように、乗換地の候補が複数存在する場合には、規制領域から最も遠い乗換拠点を乗換地として決定することで、共用車両への乗り換えが規制領域に近い乗換拠点に集中することを防止できる。これにより、規制領域に近い乗換拠点における空き車両の台数不足の解消に繋がり、全体としても効率化が図られる。
【００７９】
さらに、上で述べた乗換地決定ステップが、乗換拠点探索ステップにより検出された乗換拠点毎且つ当該乗換拠点において空き状態の共用車両毎に、経路走行車両が当該乗換拠点に到着すると予想される到着予想時刻の時点における当該共用車両の蓄積エネルギー量を予測する第１予測ステップと、予測された到着予想時刻の時点における蓄積エネルギー量に従って、共用車両が少なくとも目的地まで走行可能であるか否か推定するステップとを含むようにしてもよい。そして、乗換拠点探索ステップにより検出された乗換拠点の中から、少なくとも目的地まで走行可能と推定された共用車両への乗り換えが可能な乗換拠点を乗換地として決定し、当該乗換地の情報を出力するような場合もある。これにより、少なくとも目的地まで走行可能と推定される共用車両への乗り換えが可能な乗換地を運転手は把握できるようになる。なお、到着予想時刻の時点における蓄積エネルギー量に従って、少なくとも目的地まで走行可能であるかどうかの推定を行うようになっているのは、直ぐに乗り換えが行われるわけではなく、到着予想時刻の時点で十分なエネルギーが蓄積されていれば足りるからである。例えば、現時点で十分なエネルギーが蓄積されていない共用車両であっても、到着予想時刻までの時間で不足分を補充できれば、その共用車両を乗り換え候補として扱うことができる。
【００８０】
また、上で述べた乗換拠点探索ステップが、検出された乗換拠点における共用車両の蓄積エネルギー情報を収集するステップを含むようにしてもよい。そして、上で述べた第１予測ステップが、共用車両の蓄積エネルギー情報から特定される蓄積エネルギー量に、現在時刻から到着予想時刻までの時間で補充可能なエネルギー量を加えた値を、到着予想時刻の時点における当該共用車両の蓄積エネルギー量として予測する第２予測ステップを含むようにしてもよい。このようにすれば、到着予想時刻までの時間で補充可能なエネルギーを加味して、到着予想時刻の時点における蓄積エネルギーを予測することができる。
【００８１】
さらに、上で述べた第２予測ステップにおいて、補充時間と補充容量との関係を表す所定の補充カーブを用いて、到着予想時刻の時点における共用車両の蓄積エネルギー量を予測する場合もある。このような補充カーブを用いることで、到着予想時刻までの時間で補充可能なエネルギー量をより正確に予測することができる。
【００８２】
また、上で述べた乗換地決定ステップにおいて、乗換拠点から目的地までの第１の移動距離と、乗換拠点から目的地周辺に存在するエネルギー補充施設までの第２の移動距離と、乗換拠点から目的地までの往復距離である第３の移動距離とのうちいずれかの距離を走行可能と推定される共用車両への乗り換えが可能な乗換拠点を乗換地として決定する場合もある。例えば第１又は第２の移動距離を用いることで、目的地又は目的地周辺まで走行可能な共用車両への乗換地を決定することができる。なお、目的地に充電設備がないような場合には、第２の移動距離を用いるようにすれば、走行に必要なエネルギー（例えば電気量）がなくなるというような事態を回避できる。また、第３の移動距離を用いることで、目的地までの距離を往復できる共用車両への乗換地を決定することができる。目的地に到達した後、再び乗換地に戻ってくるような場合には、目的地までの距離を往復できる共用車両へ乗り換えるようにした方が、運転手にとっては都合がよい。
【００８３】
第１の態様において、経路走行車両が、特定の種類の車両であるか判定するステップをさらに含む場合もある。そして、出発地から目的地までの経路が規制領域を走行する経路であり且つ経路走行車両が特定の種類の車両であると判定された場合に、上で述べた乗換拠点探索ステップ以降の処理を実施するようにしてもよい。なお、規制領域でも走行可能な車両（例えば電気自動車など）に既に乗っている場合には、そのまま目的地まで走行可能であるため、乗換地の探索は不要である。
【００８４】
第２の態様に係る乗換地決定装置は、地図データと特定の種類の車両の進入が規制されている規制領域の情報と規制領域を走行可能な種類の共用車両への乗換拠点の情報とを格納する地図データベース（図３０：１５０１）と、特定の種類の車両から受信した出発地から、当該特定の種類の車両から受信した目的地までの経路が、地図データベースから特定される規制領域を走行する経路であるか判定する経路判定部（図３０：１５０３）と、出発地から目的地までの経路が規制領域を走行する経路であると判定された場合、地図データベースにおいて、出発地から規制領域への進入地点までの経路区間上又は当該経路区間から所定の範囲内に存在する乗換拠点を探索し、検出された乗換拠点における共用車両の空き状況を収集する乗換拠点探索部（図３０：１５０５）と、収集された共用車両の空き状況に従って、上記乗換拠点探索部により検出された乗換拠点の中から、共用車両への乗り換えが可能な乗換拠点を乗換地として決定し、当該乗換地の情報を出発地及び目的地の送信元の車両に出力する乗換地決定部（図３０：１５０７）とを有する。
【００８５】
第３の態様に係るカーナビゲーション装置は、地図データと特定の種類の車両の進入が規制されている規制領域の情報と規制領域を走行可能な種類の共用車両への乗換拠点の情報とを格納する地図データベースと、ユーザから目的地の入力を受け付けた場合、出発地から目的地までの経路を探索し、探索された経路が、地図データベースから特定される規制領域を走行する経路であるか判定する経路判定部と、探索された経路が規制領域を走行する経路であると判定された場合、地図データベースにおいて、出発地から規制領域への進入地点までの経路区間上又は当該経路区間から所定の範囲内に存在する乗換拠点を探索し、乗換拠点における共用車両の情報を管理している管理装置から、検出された乗換拠点における共用車両の空き状況を取得する乗換拠点探索部と、管理装置から取得した共用車両の空き状況に従って、上記乗換拠点探索部により検出された乗換拠点の中から、共用車両への乗り換えが可能な乗換拠点を乗換地として決定し、当該乗換地の情報をユーザに提示する乗換地決定部と有する。
【００８６】
なお、上で述べたような処理をコンピュータに実施させるためのプログラムを作成することができ、当該プログラムは、例えばフレキシブル・ディスク、ＣＤ−ＲＯＭ、光磁気ディスク、半導体メモリ（例えばＲＯＭ）、ハードディスク等のコンピュータ読み取り可能な記憶媒体又は記憶装置に格納される。なお、処理途中のデータについては、ＲＡＭ等の記憶装置に一時保管される。
【００８７】
以上の実施例を含む実施形態に関し、さらに以下の付記を開示する。
【００８８】
（付記１）
地図データと特定の種類の車両の進入が規制されている規制領域の情報と前記規制領域を走行可能な種類の共用車両への乗換拠点の情報とを格納する地図データベースに格納されている前記規制領域の情報から、出発地から目的地までの経路が前記規制領域を走行する経路であるか判定するステップと、
前記出発地から目的地までの経路が前記規制領域を走行する経路であると判定された場合、前記地図データベースにおいて、前記出発地から前記規制領域への進入地点までの経路区間上又は当該経路区間から所定の範囲内に存在する前記乗換拠点を探索し、検出された前記乗換拠点における前記共用車両の空き状況を収集する乗換拠点探索ステップと、
収集された前記共用車両の空き状況に従って、前記乗換拠点探索ステップにより検出された前記乗換拠点の中から、前記共用車両への乗り換えが可能な前記乗換拠点を乗換地として決定し、当該乗換地の情報を出力する乗換地決定ステップと、
を含み、コンピュータにより実行される乗換地決定方法。
【００８９】
（付記２）
前記乗換地決定ステップが、
前記共用車両への乗り換えが可能な前記乗換拠点が複数存在する場合、前記規制領域から最も遠い前記乗換拠点を前記乗換地として決定するステップ
を含む、付記１記載の乗換地決定方法。
【００９０】
（付記３）
前記乗換地決定ステップが、
前記乗換拠点探索ステップにより検出された前記乗換拠点毎且つ当該乗換拠点において空き状態の前記共用車両毎に、経路走行車両が当該乗換拠点に到着すると予想される到着予想時刻の時点における当該共用車両の蓄積エネルギー量を予測する第１予測ステップと、
予測された前記到着予想時刻の時点における蓄積エネルギー量に従って、前記共用車両が少なくとも前記目的地まで走行可能であるか否か推定するステップと、
を含み、
前記乗換拠点探索ステップにより検出された前記乗換拠点の中から、少なくとも前記目的地まで走行可能と推定された前記共用車両への乗り換えが可能な前記乗換拠点を乗換地として決定し、当該乗換地の情報を出力する
ことを特徴とする付記１又は２記載の乗換地決定方法。
【００９１】
（付記４）
前記乗換拠点探索ステップが、
検出された前記乗換拠点における前記共用車両の蓄積エネルギー情報を収集するステップ
を含み、
前記第１予測ステップが、
前記共用車両の蓄積エネルギー情報から特定される蓄積エネルギー量に、現在時刻から前記到着予想時刻までの時間で補充可能なエネルギー量を加えた値を、前記到着予想時刻の時点における当該共用車両の蓄積エネルギー量として予測する第２予測ステップ
を含む、付記３記載の乗換地決定方法。
【００９２】
（付記５）
前記第２予測ステップにおいて、
補充時間と補充容量との関係を表す所定の補充カーブを用いて、前記到着予想時刻の時点における前記共用車両の蓄積エネルギー量を予測する
付記４記載の乗換地決定方法。
【００９３】
（付記６）
前記乗換地決定ステップにおいて、
前記乗換拠点から前記目的地までの第１の移動距離と、前記乗換拠点から前記目的地周辺に存在するエネルギー補充施設までの第２の移動距離と、前記乗換拠点から前記目的地までの往復距離である第３の移動距離とのうちいずれかの距離を走行可能と推定される前記共用車両への乗り換えが可能な前記乗換拠点を前記乗換地として決定する
付記１乃至５のいずれか１つ記載の乗換地決定方法。
【００９４】
（付記７）
経路走行車両が、前記特定の種類の車両であるか判定するステップ
をさらに含み、
前記出発地から前記目的地までの経路が前記規制領域を走行する経路であり且つ前記経路走行車両が前記特定の種類の車両であると判定された場合に、前記乗換拠点探索ステップ以降の処理を実施する
付記１乃至６のいずれか１つ記載の乗換地決定方法。
【００９５】
（付記８）
地図データと特定の種類の車両の進入が規制されている規制領域の情報と前記規制領域を走行可能な種類の共用車両への乗換拠点の情報とを格納する地図データベースと、
前記特定の種類の車両から受信した出発地から、当該特定の種類の車両から受信した目的地までの経路が、前記地図データベースから特定される前記規制領域を走行する経路であるか判定する経路判定部と、
前記出発地から前記目的地までの前記経路が前記規制領域を走行する経路であると判定された場合、前記地図データベースにおいて、前記出発地から前記規制領域への進入地点までの経路区間上又は当該経路区間から所定の範囲内に存在する前記乗換拠点を探索し、検出された前記乗換拠点における前記共用車両の空き状況を収集する乗換拠点探索部と、
収集された前記共用車両の空き状況に従って、前記乗換拠点探索部により検出された前記乗換拠点の中から、前記共用車両への乗り換えが可能な前記乗換拠点を乗換地として決定し、当該乗換地の情報を前記出発地及び前記目的地の送信元の車両に出力する乗換地決定部と、
を有する乗換地決定装置。
【００９６】
（付記９）
地図データと特定の種類の車両の進入が規制されている規制領域の情報と前記規制領域を走行可能な種類の共用車両への乗換拠点の情報とを格納する地図データベースと、
ユーザから目的地の入力を受け付けた場合、出発地から前記目的地までの経路を探索し、探索された前記経路が、前記地図データベースから特定される前記規制領域を走行する経路であるか判定する経路判定部と、
探索された前記経路が前記規制領域を走行する経路であると判定された場合、前記地図データベースにおいて、前記出発地から前記規制領域への進入地点までの経路区間上又は当該経路区間から所定の範囲内に存在する前記乗換拠点を探索し、前記乗換拠点における前記共用車両の情報を管理している管理装置から、検出された前記乗換拠点における前記共用車両の空き状況を取得する乗換拠点探索部と、
前記管理装置から取得した前記共用車両の空き状況に従って、前記乗換拠点探索部により検出された前記乗換拠点の中から、前記共用車両への乗り換えが可能な前記乗換拠点を乗換地として決定し、当該乗換地の情報を前記ユーザに提示する乗換地決定部と、
を有するカーナビゲーション装置。
【符号の説明】
【００９７】
１  ネットワーク    ３  車両
５  乗換ステーション    ７  乗換地決定装置
３１  車両情報格納部    ３２  カーナビゲーション装置    ３３  通信部
５１  管理装置    ５３  共用車両ＤＢ
７０１  入力部    ７０３  入力データ格納部
７０５  経路探索部    ７０７  地図ＤＢ
７０９  規制状態判定部    ７１１  共用車両情報取得部
７１３  乗換候補車両抽出部    ７１５  車種ＤＢ
７１７  ワークメモリ    ７１９  充電量予測部
７２１  消費電力量予測部    ７２３  乗換ステーションマスタＤＢ
７２５  充電施設マスタＤＢ    ７２７  充電カーブＤＢ
７２９  燃費ＤＢ    ７３１  乗換地決定部    ７３３  出力部
【図１】
2011170686.tif 000003
【図２】
2011170686.tif 000004
【図３】
2011170686.tif 000005
【図４】
2011170686.tif 000006
【図５】
2011170686.tif 000007
【図６】
2011170686.tif 000008
【図７】
2011170686.tif 000009
【図８】
2011170686.tif 000010
【図９】
2011170686.tif 000011
【図１０】
2011170686.tif 000012
【図１１】
2011170686.tif 000013
【図１２】
2011170686.tif 000014
【図１３】
2011170686.tif 000015
【図１４】
2011170686.tif 000016
【図１５】
2011170686.tif 000017
【図１６】
2011170686.tif 000018
【図１７】
2011170686.tif 000019
【図１８】
2011170686.tif 000020
【図１９】
2011170686.tif 000021
【図２０】
2011170686.tif 000022
【図２１】
2011170686.tif 000023
【図２２】
2011170686.tif 000024
【図２３】
2011170686.tif 000025
【図２４】
2011170686.tif 000026
【図２５】
2011170686.tif 000027
【図２６】
2011170686.tif 000028
【図２７】
2011170686.tif 000029
【図２８】
2011170686.tif 000030
【図２９】
2011170686.tif 000031
【図３０】
2011170686.tif 000032